(57)【要約】      （修正有）【課題】柱状椅子を固定することなく、柱状椅子の転倒を防止する椅子カバーを提供する。【解決手段】椅子１は、円柱形状を有し、椅子カバー１０は、椅子１の少なくとも上面及び側面を覆うカバー本体部１１と、床面に接触するように、カバー本体部１１の側面１１ｂに取り付けられた補助部１２とを備えている。カバー本体部１１は、キルティング生地や樹脂シート等で成型され、人が着座できるように、上面１１ａの全部又は一部に床面に対して略並行な面を有している。補助部１２は、内部にワイヤー等で組み立てられた骨組みを有し、この骨組みに沿ってキルティング生地や樹脂シート等で成型されたカバーが覆われている。また、補助部１２は、椅子カバー１０と床面との接触面積が大きくなるように、底面１２ａの面積がカバー本体部１１の上面１１ａの面積より大きくなるように成型されている。具体的には、補助部１２は、床面に向かって広がるように傾斜する傾斜面１２ｂを有している。【選択図】図１
0003165915.tif 000002
【実用新案登録請求の範囲】
【請求項１】
柱形状を有する椅子の少なくとも上面及び側面を覆うカバー本体部と、
床面に接触するように、前記カバー本体部の側面に固定された補助部と、
を備えたことを特徴とする椅子カバー。
【請求項２】
前記カバー本体部側面の対向する下端部同士を掛け渡すように接続する下端接続部と、
をさらに備えたことを特徴とする請求項１記載の椅子カバー。
【請求項３】
前記補助部は、
前記椅子の着座者の足が置けるように、前記カバー本体部の上面と略並行な面を有する
ことを特徴とする請求項１又は２記載の椅子カバー。
【請求項４】
前記補助部は、
前記カバー本体部の上面から床面に向かって傾斜するテーパー形状を有する
ことを特徴とする請求項１又は２記載の椅子カバー。
【請求項５】
前記補助部は、
前記カバー本体部の側面の下部に固定された複数の球体を有する
ことを特徴とする請求項１又は２記載の椅子カバー。
【請求項６】
前記カバー本体部及び前記補助部は、
樹木、建物、又は動植物を模して成型された
ことを特徴とする請求項１又は２記載の椅子カバー。
【考案の詳細な説明】
【技術分野】
【０００１】
本考案は、椅子に取り付けて使用する椅子カバーに関する。
【背景技術】
【０００２】
一般的に、ゲームセンター等のアミューズメント施設には、多数の遊技装置が設置されており、また、遊技者がこの遊技装置で遊技する際に着席するための円柱形状や多角柱形状等の柱形状を有する椅子（以下、柱状椅子という）も設置される場合が多い。
【０００３】
また、椅子の汚れ防止、装飾、又は座り心地の改善を目的に、椅子の外側にキルティング生地、樹脂シート、皮革などで作製された椅子カバーがよく知られている。
【０００４】
特許文献１には、チェアー本体に取り付けられたカバー装設具に掛合可能な取付具を設け、取付具がカバー装設具に固定された状態で、カバーがチェアー本体を上から被包してチェアー本体下部で開口を封鎖あるいは引き締める袋状の椅子カバーが提案されている。
【０００５】
また、特許文献２には、座面の裏側にクッション材を着脱可能に保持できるクッション材保持部材が備えられていることを特徴とする座椅子カバーが提案されている。
【先行技術文献】
【特許文献】
【０００６】
【特許文献１】実開平５−１８３５６号公報
【特許文献２】実用新案登録第３０７１３４６号公報
【考案の概要】
【考案が解決しようとする課題】
【０００７】
しかしながら、特許文献１及び特許文献２に記載の椅子カバーでは、柱形状に対応していないので、柱状椅子を覆うことができなかった。
【０００８】
また、柱状椅子は柱形状を有するので、着座面の周辺部に荷重が加わると転倒し易いので、仮に、特許文献１及び特許文献２に記載の椅子カバーを、柱状椅子を覆うように形状加工して柱状椅子に装着した場合、装着された椅子カバーと共に柱状椅子が転倒してしまうことがあった。そして、柱状椅子が転倒した場合、遊技者は再度柱状椅子を起立させる必要があるので、この作業が非常に煩わしいという課題があった。
【０００９】
また、柱状椅子が転倒しないように柱状椅子を床面に固定するためには、固定治具を取り付ける必要があり、このような固定治具を取り付けると、柱状椅子を容易に移設することが困難となってしまうという課題があった。
【００１０】
本考案は、上記課題に鑑みてなされたものであり、柱状椅子を固定することなく、柱状椅子の転倒を防止する椅子カバーを提供することを目的とする。
【課題を解決するための手段】
【００１１】
上記目的を達成するため、本考案に係る椅子カバーの第１の特徴は、柱形状を有する椅子の少なくとも上面及び側面を覆うカバー本体部と、床面に接触するように、前記カバー本体部の側面に固定された補助部とを備えたことにある。
【００１２】
上記目的を達成するため、本考案に係る椅子カバーの第２の特徴は、前記カバー本体部側面の対向する下端部同士を掛け渡すように接続する下端接続部と、をさらに備えたことにある。
【００１３】
上記目的を達成するため、本考案に係る椅子カバーの第３の特徴は、前記補助部は、前記椅子の着座者の足が置けるように、前記カバー本体部の上面と略並行な面を有することにある。
【００１４】
上記目的を達成するため、本考案に係る椅子カバーの第４の特徴は、前記補助部は、前記カバー本体部の上面から床面に向かって傾斜するテーパー形状を有することにある。
【００１５】
上記目的を達成するため、本考案に係る椅子カバーの第５の特徴は、前記補助部は、前記カバー本体部の側面の下部に固定された複数の球体を有することにある。
【００１６】
上記目的を達成するため、本考案に係る椅子カバーの第６の特徴は、前記カバー本体部及び前記補助部は、樹木、建物、又は動植物を模して成型されたことにある。
【考案の効果】
【００１７】
本考案に係る椅子カバーによれば、柱状椅子を固定することなく、柱状椅子の転倒を防止することができる。
【図面の簡単な説明】
【００１８】
【図１】本考案の実施例１に係る椅子カバーが適用された椅子とメダルゲーム装置との斜視図である。
【図２】本考案の実施例２に係る椅子カバーが適用された椅子の斜視図である。
【図３】本考案の実施例３に係る椅子カバーが適用された椅子の斜視図である。
【図４】本考案の実施例４に係る椅子カバーが適用された椅子の斜視図である。
【図５】本考案の実施例５に係る椅子カバーが適用された椅子の斜視図である。
【図６】本考案の実施例６に係る椅子カバーが適用された椅子の斜視図である。
【考案を実施するための形態】
【００１９】
以下、本考案を実施するための形態について図面を参照して説明する。
【実施例１】
【００２０】
以下、本考案の実施例１に係る椅子カバーについて、図面を参照して詳細に説明する。
【００２１】
図１は、本考案の実施例１に係る椅子カバーが適用された椅子とメダルゲーム装置との斜視図である。
【００２２】
メダルゲーム装置１００は、メダルプッシャーゲームを提供するものであり、図１に示すように、筐体１１２内の正面上部にゲーム盤面１１４が設けられ、このゲーム盤面１１４の下端位置に前後方向で往復移動を行うスライドテーブル１１６を有するメダル載置用のゲームフィールド１１８が設けられている。
【００２３】
また、筐体１１２の上下方向略中央前方には操作部１２０が設けられ、この操作部１２０にメダル投入口１２２及びメダルＭを貯留するメダル貯留部１２５が設けられ、このメダル貯留部１２５に筐体１１２内のメダルＭを払い出すための払出口１２４が、操作部１２０の上方に隣接するように筐体１１２の前面に設けられている。
【００２４】
ゲーム盤面１１４には、表示部１２６と、チャッカー部１２８と、チャッカー部１２８へのメダルＭの進路を邪魔する複数の突起部１３２と、ゲーム盤面１１４の両側上方に配置された放出口１３６から放出されたメダルＭの放出方向を変更するワイパー１３４とが設けられている。
【００２５】
放出口１３６から放出されたメダルＭは、ワイパー１３４によって振り分けられ、突起部１３２によって邪魔されながら下方へと移動し、メダルＭがチャッカー部１２８を通過すると、チャッカー部１２８の内側に設けたセンサ（図示せず）がメダルＭの通過を検出する。
【００２６】
そして、メダルＭが通過したチャッカー１２８の位置に応じて、表示部１２６に表示されるゲームが進行し、このゲームの結果に応じて、筐体１１２内に設置したメダル払い出し用の払出ホッパーからメダルＭがゲームフィールド１１８上に払い出されるようになっている。
【００２７】
ゲームフィールド１１８上に払い出されたメダルＭ及びゲーム盤面１１４を通過したメダルＭは、スライドテーブル１１６の往復移動によって、ゲームフィールド１１８上から落下して払出口１２４から払い出され、メダル貯留部１２５に貯留されるようになっている。
【００２８】
このように、遊技者は、メダルプッシャーゲームを行っている間、何度も操作部１２０のメダル投入口１２２へメダルＭを投入したり、メダル貯留部１２５に貯留されたメダルＭを回収したりする。そこで、本考案の実施例１に係る椅子カバーが適用された椅子１は、遊技者が着座した状態でメダルプッシャーゲームを長時間楽しむことができるように、メダルゲーム装置１００の前方に配置される。
【００２９】
また、メダルゲーム装置１００の前方に配置される椅子は、１名だけではなく、複数名の遊技者が、メダルゲーム装置１００によるメダルプッシャーゲームを楽しむことができるように、床面に固定せずに簡単に移動させることが可能な円椅子が採用されることが多い。そこで、本考案の実施例１に係る椅子カバーが適用された椅子１が円椅子である場合の例について説明する。
【００３０】
椅子１は、柱状椅子の１つである円柱形状を有する円椅子であり、この椅子１を本考案の実施例１に係る椅子カバー１０が覆っている。
【００３１】
椅子カバー１０は、円柱形状を有する椅子１の少なくとも上面及び側面を覆うカバー本体部１１と、床面に接触するように、カバー本体部１１の側面１１ｂに取り付けられた補助部１２とを備えている。
【００３２】
カバー本体部１１は、キルティング生地や樹脂シート等で成型され、遊技者が着座できるように、上面１１ａの全部又は一部に床面に対して略並行な面を有している。
【００３３】
補助部１２は、内部にワイヤー等で組み立てられた骨組みを有し、この骨組みに沿ってキルティング生地や樹脂シート等で成型されたカバーが覆われている。
【００３４】
また、補助部１２は、椅子カバー１０と床面との接触面積が大きくなるように、底面１２ａの面積がカバー本体部１１の上面１１ａの面積より大きくなるように成型されている。具体的には、補助部１２は、床面に向かって広がるように傾斜する傾斜面１２ｂを有している。
【００３５】
ここで、補助部１２が、カバー本体部１１の側面に固定されていない場合、カバー本体部１１上面の周辺部に荷重が加わると、カバー本体部１１に対する補助部１２の上下方向の位置がずれ、椅子１を支えることができず、椅子１と椅子カバー１０とが共に転倒してしまう可能性がある。
【００３６】
そこで、本考案の実施例１に係る椅子カバー１０の補助部１２は、カバー本体部１１の側面１１ｂに固定されており、底面１２ａが床面に接触しているので、例えば、着座者がカバー本体部１１の上面１１ａの周辺部に荷物を置くことにより周辺部に荷重が加わった場合においても、補助部１２が支えることにより椅子１の転倒を防止することができる。
【００３７】
以上のように、本考案の実施例１に係る椅子カバー１０によれば、円柱形状を有する椅子１の少なくとも上面及び側面を覆うカバー本体部１１と、床面に接触するように、カバー本体部１１の側面に固定された補助部１２とを備えるので、椅子１を固定することなく、椅子１を覆うことにより椅子１の転倒を防止することができる。
【実施例２】
【００３８】
本考案の実施例２に係る椅子カバーについて説明する。
【００３９】
図２は、本考案の実施例２に係る椅子カバーが適用された椅子の斜視図である。
【００４０】
図２に示すように、椅子カバー２０は、円柱形状を有する椅子１の少なくとも上面及び側面を覆うカバー本体部１１と、床面に接触するように、カバー本体部１１の側面に取り付けられた４つの補助部２２とを備えている。ここで、カバー本体部１１は、本考案の実施例１に係る椅子カバー１０のカバー本体部１１と同一構成を有するので、説明を省略する。
【００４１】
図２に示すように、本考案の実施例２に係る椅子カバー２０では、カバー本体部１１上面１１ａの円中心から外周方向に向かって放射状に４つの補助部２２がカバー本体部１１の側面に固定されており、この４つの補助部２２は、カバー本体部１１の上面１１ａから床面に向かって傾斜するテーパー形状を有している。
【００４２】
以上のように、本考案の実施例２に係る椅子カバー２０によれば、円柱形状を有する椅子１の少なくとも上面及び側面を覆うカバー本体部１１と、床面に接触するように、カバー本体部１１の側面に固定されたテーパー形状の４つの補助部２２とを備えるので、本考案の実施例１に係る椅子カバー１０と同様に、椅子１を覆うことにより椅子１が転倒し難くなるという効果を奏することができる。
【００４３】
なお、本考案の実施例２に係る椅子カバー２０では、テーパー形状の４つの補助部２２を備える構成としたが、これに限らず、補助部２２は、いくつ備える構成としてもよい。
【実施例３】
【００４４】
本考案の実施例３に係る椅子カバーについて説明する。
【００４５】
図３は、本考案の実施例３に係る椅子カバーが適用された椅子の斜視図である。
【００４６】
図３に示すように、椅子カバー３０は、円柱形状を有する椅子１の少なくとも上面及び側面を覆うカバー本体部１１と、床面に接触するように、カバー本体部１１の側面１１ｂの下部に取り付けられた８つの補助部３２とを備えている。ここで、カバー本体部１１は、本考案の実施例１に係る椅子カバー１０のカバー本体部１１と同一構成を有するので、説明を省略する。
【００４７】
図３に示すように、本考案の実施例３に係る椅子カバー３０では、球形状を有する８つの補助部３２が、カバー本体部１１の側面１１ｂの下部に固定されている。
【００４８】
以上のように、本考案の実施例３に係る椅子カバー３０によれば、円柱形状を有する椅子１の少なくとも上面及び側面を覆うカバー本体部１１と、床面に接触するように、カバー本体部１１の側面１１ｂに固定された球形状の８つの補助部３２とを備えるので、本考案の実施例１に係る椅子カバー１０と同様に、椅子１を固定することなく、椅子１を覆うことにより椅子１の転倒を防止することができる。
【００４９】
なお、本考案の実施例３に係る椅子カバー３０では、球状の８つの補助部３２を備える構成としたが、これに限らず、補助部３２は、いくつ備える構成としてもよい。
【実施例４】
【００５０】
本考案の実施例４に係る椅子カバーについて説明する。
【００５１】
図４は、本考案の実施例４に係る椅子カバーが適用された椅子の斜視図である。
【００５２】
図４に示すように、椅子カバー４０は、円柱形状を有する椅子１の少なくとも上面及び側面を覆うカバー本体部１１と、床面に接触するように、カバー本体部１１の側面１１ｂに取り付けられた補助部４２とを備えている。ここで、カバー本体部１１は、本考案の実施例１に係る椅子カバー１０のカバー本体部１１と同一構成を有するので、説明を省略する。
【００５３】
図４に示すように、本考案の実施例４に係る椅子カバー４０では、外周がカバー本体部１１の上面１１ａと同心円となる環形状を有する補助部４２が、カバー本体部１１の側面１１ｂの下部に固定されている。
【００５４】
また、補助部４２は、椅子カバー４０で覆われた椅子１に着座した着座者（遊技者）の足が置けるように、カバー本体部１１の上面１１ａ（着座面）と並行な面である足置き部４２ａを有している。
【００５５】
これにより、子供等の比較的身長の低い遊技者Ａであっても、カバー本体部１１の上面１１ａに着座した際、補助部４２の足置き部４２ａに足を置いて、メダルゲーム装置１００のメダルプッシャーゲームを楽しむことができるので、身長に関わらず、幅広い層の遊技者がメダルゲーム装置１００のメダルプッシャーゲームを楽しむことができる。
【００５６】
以上のように、本考案の実施例４に係る椅子カバー４０によれば、円柱形状を有する椅子１の少なくとも上面及び側面を覆うカバー本体部１１と、床面に接触するように、椅子１の着座者の足が置けるように、カバー本体部１１の上面１１ａと略並行な足置き部４２ａを有し、カバー本体部１１の側面１１ｂの下部に固定された環形状の補助部４２とを備えるので、本考案の実施例１に係る椅子カバー１０と同様の効果に加え、身長に関わらず、幅広い層の遊技者がメダルゲーム装置１００のメダルプッシャーゲームを楽しむことができる。
【００５７】
なお、本考案の実施例４に係る椅子カバー４０が備える足置き部４２ａは、カバー本体部１１の上面１１ａと並行な面とは限らず、遊技者が足を置くことができる程度の傾斜は許容される。
【実施例５】
【００５８】
本考案の実施例５に係る椅子カバーについて説明する。
【００５９】
図５は、本考案の実施例５に係る椅子カバーが適用された椅子の斜視図である。
【００６０】
図５に示すように、椅子カバー５０は、円柱形状を有する椅子１の少なくとも上面及び側面を覆うカバー本体部５１と、床面に接触するように、カバー本体部５１の側面に取り付けられた補助部５２とを備えている。
【００６１】
図５に示すように、本考案の実施例５に係る椅子カバー５０は、樹木の切り株を模して成型されている。具体的には、カバー本体部５１は、樹木の幹を模して成型されており、補助部５２は、床面に接触するように、樹木の根を模して成型され、カバー本体部５１に固定されている。
【００６２】
以上のように、本考案の実施例５に係る椅子カバー５０によれば、円柱形状を有する椅子１の少なくとも上面及び側面を覆う樹木の幹を模して成型されたカバー本体部５１と、床面に接触するように、カバー本体部１１の側面に取り付けられた樹木の根を模して成型された補助部５２とを備えるので、本考案の実施例１に係る椅子カバー１０と同様の効果に加え、遊技者は、切り株に着座してメダルゲーム装置１００のメダルプッシャーゲームを楽しむことができるので、例えば、メダルゲーム装置１００のコンセプトが自然である場合、椅子カバー５０の外観との統一感により、遊技者は、メダルゲーム装置１００に没入することができる。
【００６３】
図５では、遊技者が樹木を模した椅子カバー、擬似切り株となった椅子に着座する事で、自然をコンセプトとしたゲームとの統一感で没頭する事が出来たが、ゲームのコンセプトにあわせた建物や動植物を模した成型により、他のコンセプトのゲームでも、統一感による没入を提供する事が出来る。
【実施例６】
【００６４】
本考案の実施例６に係る椅子カバーについて説明する。
【００６５】
図６は、本考案の実施例６に係る椅子カバーが適用された椅子の斜視図である。
【００６６】
図６に示すように、椅子カバー６０は、円柱形状を有する椅子１の少なくとも上面及び側面を覆うカバー本体部１１と、床面に接触するように、カバー本体部１１の側面に取り付けられた補助部１２と、カバー本体部１１の側面１１ｂの対向する下端部同士を掛け渡すように接続する下端接続部１３とを備えている。ここで、カバー本体部１１及び補助部１２は、本考案の実施例１に係る椅子カバー１０のそれぞれカバー本体部１１及び補助部１２と同一構成を有するので、説明を省略する。
【００６７】
図６に示すように、本考案の実施例６に係る椅子カバー６０の下端接続部１３は、平面状の紐状部材であり、椅子１を覆う椅子カバー６０のずれを防止するために、椅子１の底面の一部を覆うように、カバー本体部１１の側面１１ｂの下端部同士を掛け渡すように接続している。
【００６８】
下端接続部１３とカバー本体部１１との接続部分は、ファスナーやボタンなどで固定されている。
【００６９】
以上のように、本考案の実施例６に係る椅子カバー６０によれば、円柱形状を有する椅子１の少なくとも上面及び側面を覆うカバー本体部１１と、床面に接触するように、カバー本体部１１の側面に固定された補助部１２と、カバー本体部１１の側面１１ｂの下端部同士を掛け渡すように接続する下端接続部１３とを備えるので、本考案の実施例１に係る椅子カバー１０の効果に加え、椅子１を覆う椅子カバー６０のずれを防止することができるという効果を奏する。
【００７０】
なお、本考案の実施例６に係る椅子カバー６０は、カバー本体部１１の側面１１ｂの下端部同士を掛け渡すように接続する平面紐状の下端接続部１３を有する構成としたが、形状は平面紐状に限らず、椅子１の底面の全体を覆うように、円形であってもよい。
【００７１】
なお、本考案の実施例１〜６に係る椅子カバー１０，２０，３０，４０，５０，６０では、円柱形状を有する椅子１の少なくとも上面及び側面を覆うカバー本体部を備える構成としたが、覆う椅子１の形状は円柱形状に限らず、四角柱や六角柱等の多角柱形状の椅子の少なくとも上面及び側面を覆うようにしてもよい。
【００７２】
また、本考案の実施例１〜６に係る椅子カバー１０，２０，３０，４０，５０，６０の補助部は、内部にワイヤー等で組み立てられた骨組みを有し、この骨組みに沿ってキルティング生地や樹脂シート等で成型されたカバーで覆われた構成としたが、これに限らず、例えば、ゴムやウレタン樹脂等の弾性体で成型されたものでもよく、椅子１の転倒を防止することができる程度の強度を有する材質で構成されていればよい。
【符号の説明】
【００７３】
１…椅子
１０，２０，３０，４０，５０，６０…椅子カバー
１１，５１…カバー本体部
１１ａ…カバー本体部の上面
１１ｂ…カバー本体部の側面
１２ａ…補助部の底面
１２ｂ…補助部の傾斜面
１２，２２，３２，４２，５２…補助部
１３…下端接続部
４２ａ…足置き部
１００…メダルゲーム装置
【図１】
0003165915.tif 000003
【図２】
0003165915.tif 000004
【図３】
0003165915.tif 000005
【図４】
0003165915.tif 000006
【図５】
0003165915.tif 000007
【図６】
0003165915.tif 000008